(57)【要約】【課題】受験票，問題用紙，答案用紙にＲＦＩＤを貼付して試験の流れを管理する試験管理システムを提供する。【解決手段】受験票にＲＦＩＤを貼付し、前記ＲＦＩＤに記録された受験番号によって試験の流れを管理するシステムであって、ＲＦＩＤが貼付された受験票，問題用紙，解答用紙と、試験会場の入口と座席にそれぞれ設置されたＲＦＩＤ読取装置と、前記ＲＦＩＤ読取装置に接続され該ＲＦＩＤ読取装置を制御する管理装置を有し、前記管理装置による制御のもと、入口に設置されたＲＦＩＤ読取装置は、受験票を読取ることで申請された会場に正しく入場したことを確認し、座席に設置されたＲＦＩＤ読取装置は、受験票を読取ることで問題用紙，解答用紙が申請された組合せで配布されていることを確認する、試験管理システムを提供する。【選択図】  図１
2006053849.tif 000002
【特許請求の範囲】
【請求項１】
受験票にＲＦＩＤを貼付し、前記ＲＦＩＤに記録された受験番号によって試験の流れを管理するシステムであって、
ＲＦＩＤが貼付された受験票，問題用紙，解答用紙と、試験会場の入口と座席にそれぞれ設置されたＲＦＩＤ読取装置と、前記ＲＦＩＤ読取装置に接続され該ＲＦＩＤ読取装置を制御する管理装置を有し、前記管理装置による制御のもと、
入口に設置されたＲＦＩＤ読取装置は、受験票を読取ることで申請された会場に正しく入場したことを確認し、
座席に設置されたＲＦＩＤ読取装置は、受験票を読取ることで問題用紙，解答用紙が申請された組合せで配布されていることを確認することを特徴とする試験管理システム。
【請求項２】
請求項１に記載の試験管理システムにおいて、ＲＦＩＤは、ＩＣタグであることを特徴とする試験管理システム。
【発明の詳細な説明】
【技術分野】
【０００１】
本発明は、試験管理システムに関し、詳しくは、受験票，問題用紙，答案用紙にＲＦＩＤ（Ｒａｄｉｏ  Ｆｒｅｑｕｅｎｃｙ  Ｉｄｅｎｔｉｆｉｃａｔｉｏｎ）を貼付して試験の流れを管理するシステムに関する。
【背景技術】
【０００２】
従来の受験システムは、主催者が受験希望者に対して試験会場及び受験番号等を記載した受験票を発行し、受験者は受験票を試験会場受付に提示して受験する。また、解答用紙は、マークシート方式になっており、最初に所定の場所に自分の名前、受験番号を記載して、解答をマークで行って提出する。
【０００３】
一方、試験官は、試験が始まる前は、受験者が会場を間違っていないか、着席している座席は間違っていないか、問題用紙は正しく配布されているか、などの確認を限られた時間内に実施し、試験を行っている。
【０００４】
そこで、受験者が受験番号の記入ミスをしたり、マークする位置を間違えることがなく、また、試験監督者が解答用紙の配布を慎重に行う必要もなく、試験監督者の労力を軽減することのできる試験管理システムが提案されている（例えば、特許文献１参照）。
前記開示されている技術は、取り外し可能な情報表示手段を含む受験票と、情報表示手段を貼付する情報表示手段貼付部と、解答記入欄を含む解答用紙とを備えた試験管理システムで、取り外し可能な情報表示手段は、バーコードシールとすることができ、バーコードシール及び解答用紙の情報表示手段貼付部には、バーコードシールを情報表示手段貼付部に正確に貼付することによって、一定の図形が完成するようなマークが印刷されているなどというものである。
【０００５】
【特許文献１】特開２００２−３１８５４０号公報
【発明の開示】
【発明が解決しようとする課題】
【０００６】
しかし、前述の開示技術は、バーコードの読み取り精度を向上させることのできるバーコード及びその貼付方法を提供することを目的としており、試験場の試験官の労力を軽減するものではない。
【課題を解決するための手段】
【０００７】
前記課題を解決するために、本発明の試験管理システムの請求項１に記載の発明は、受験票にＲＦＩＤを貼付し、前記ＲＦＩＤに記録された受験番号によって試験の流れを管理するシステムであって、ＲＦＩＤが貼付された受験票，問題用紙，解答用紙と、試験会場の入口と座席にそれぞれ設置されたＲＦＩＤ読取装置と、前記ＲＦＩＤ読取装置に接続され該ＲＦＩＤ読取装置を制御する管理装置を有し、前記管理装置による制御のもと、入口に設置されたＲＦＩＤ読取装置は、受験票を読取ることで申請された会場に正しく入場したことを確認し、座席に設置されたＲＦＩＤ読取装置は、受験票を読取ることで問題用紙，解答用紙が申請された組合せで配布されていることを確認することを特徴とするものである。
【０００８】
また、請求項２に記載の発明は、請求項1に記載の発明において、ＲＦＩＤは、ＩＣタグであることを特徴とするものである。
【発明の効果】
【０００９】
１）請求項１に記載のように、受験票にＲＦＩＤを貼付し、前記ＲＦＩＤに記録された受験番号によって試験の流れを管理するシステムであって、ＲＦＩＤが貼付された受験票，問題用紙，解答用紙と、試験会場の入口と座席にそれぞれ設置されたＲＦＩＤ読取装置と、前記ＲＦＩＤ読取装置に接続され該ＲＦＩＤ読取装置を制御する管理装置を有し、前記管理装置による制御のもと、入口に設置されたＲＦＩＤ読取装置は、受験票を読取ることで申請された会場に正しく入場したことを確認し、座席に設置されたＲＦＩＤ読取装置は、受験票を読取ることで問題用紙，解答用紙が申請された組合せで配布されていることを確認することによって、小人数の受付や、試験官で対応することができ、また、受験者が解答用紙に受験番号の記載を忘れても集計の際に受験者を特定することができる。
２）また、請求項２に記載のように、請求項１に記載の試験管理システムにおいて、ＲＦＩＤは、ＩＣタグであることによって、システム全体のコストを安く抑えることができる。
【発明を実施するための最良の形態】
【００１０】
以下、図面を参照して、本発明の試験管理システムについて詳細に説明する。
図１は、本発明の試験管理システムの機器構成およびＲＦＩＤが貼付された媒体の構成の一例について説明するための図，図２は、ＩＣタグの一例について説明するための図，図３は、ＲＦＩＤが貼付された受験票の一例について説明するための図，図４は、ＲＦＩＤが貼付された問題用紙の一例について説明するための図，図５は、ＲＦＩＤが貼付された解答用紙の一例について説明するための図，図６は、試験管理手順の一例について説明するための図，である。
【００１１】
図１を参照して、本発明の試験管理システムの機器構成およびＲＦＩＤが貼付された媒体の構成の一例について説明する。
通常、試験が実施される前に、下記のような準備を行う。
即ち、試験を実施する試験実施側は、受験希望者に対して試験実施要領と、受験申請用紙と、受験票を送付する。
受験希望者は、申請用紙に受験希望科目と、受験者の氏名，生年月日，性別，現住所などを記載し、最近撮影した顔写真を添付して試験実施側に送付する。
受験票には、氏名など指定された事項を記載し、申請書に同封したものと同一の顔写真を決められた大きさに切り取って所定の位置に貼りむ。
受験票は、前述のように試験当日受験者に持参させる場合と、試験当日受験者に発行する場合の２つの場合がある。
【００１２】
試験実施側は、受験者データベース作成のために、前述の申請用紙に記載された記載事項、例えば、受験者の氏名，生年月日，性別，現住所を含む個人情報，受験番号，受験科目名，試験の日時、場合によっては顔写真のイメージ情報などを入力する。
試験当日、受験番号を検索番号として各種の確認を行うため、受験番号を検索番号として関連情報を紐付け（貼付）して受験者データベースにファイル（登録）する。
【００１３】
本発明の試験管理システムを実施するために最低限必要な機器として、事前に受験者情報をファイルした管理装置１，入口に設置され受験票のＲＦＩＤを読取る会場入口読取装置２，座席に設置され受験票，問題用紙，解答用紙のＲＦＩＤを読取る座席読取装置３で構成される。
【００１４】
管理装置１は、前述のように受験者の氏名，生年月日，性別，現住所を含む個人情報，受験番号，受験科目名，試験の日時、場合によっては顔写真のイメージ情報などを、受験番号をキーとして自由に読み出すことができる受験者データベースに接続されている。
また、試験当日受験番号を検索キーとして会場入口読取装置，座席読取装置からの問い合わせに対応するプログラム、および、試験終了後合格者のために必要書類を作成するためのプログラムを搭載している。
【００１５】
会場入口読取装置２は、試験会場の部屋単位の入口に設置され、受験者が提示する受験票のＲＦＩＤを無線で読取るゲート装置である。
会場入口読取装置２は、また、管理装置に接続されており、管理装置に登録されていない受験者に対しては音声，光などによりその旨を伝える。
【００１６】
座席読取装置３は、受験票，問題用紙，解答用紙に貼付されたＲＦＩＤを無線によって読取るアンテナと、メッセージを表示する簡易な表示部を備えた、例えば、「アンテナ内蔵の下敷き」である。
前記「アンテナ内蔵の下敷き」は、送受信用のアンテナを内蔵したフレキシブル、または、板状のプレートで、前記アンテナに接続された通信部を介して管理端末に接続される。
「アンテナ内蔵の下敷き」は、その上に置かれた受験票，問題用紙，解答用紙に貼付されたＲＦＩＤを無線で読取り、通信部を介して管理端末に送信し、管理端末からのレスポンスを前記「アンテナ内蔵の下敷き」の簡易な表示部に表示する。
前記簡易な表示部は、メッセージを文字列で表示することも、ステータス（記号）で表示することも、音声で表示することも、また、その組合せで表示することもできるようになっている。
【００１７】
次に、本発明の試験管理システムで使用される媒体の一例について説明する。
システムで使用される主要な媒体として、受験票４がある。
受験票４にはＲＦＩＤとして、アンテナが接続されたＩＣチップ（ＩＣタグ）が組み込まれている。
ＩＣタグは、粘着剤付きラベルとして受験票の裏側などに貼付される場合と、受験票の紙にアンテナ付きのＩＣチップとして直接埋め込まれる場合がある。
本発明の試験システムに使用されるＲＦＩＤのＩＣチップには、少なくとも受験番号が記録されており、記憶容量が大きければその他の個人情報も一緒に記録されている。
ＩＣタグに記録された受験番号は、試験会場に入る際に会場入口読取装置２によって無線で読取られる。
さらに、受験者が席について受験票４を机の上に置くと、ＩＣタグに記録された受験番号が、前述の受験票４から座席読取装置３によって無線で読取られる。
試験が開始される前に、試験官によって問題用紙５と解答用紙６が配布されるが、この問題用紙５と、解答用紙６にも前述の受験票４と同じ要領でＩＣタグが組み込まれており、問題用紙と、解答用紙から問題用紙コード，解答用紙コードが座席読取装置３によって無線で読取られる。
【００１８】
図２を参照して、ＲＦＩＤの主要要素であるＩＣタグの一例について説明する。
本発明の試験管理システムのような分野では、ＩＣタグに電池を内蔵しないパッシブ型のＩＣタグを使用する。
ＩＣタグ７は、記憶部，送信部，受信部，電源整流部からなるＩＣチップ７２と、アンテナ７１で構成され、フィルム基材上に形成される。図示していないが、フィルム基材には粘着剤が塗布され、読取対象物に貼付される。
読取・書き込み装置は、ＩＣタグ７に形成されたアンテナ７１との間で交信し、データの記録・読取り・上書きを行う。
【００１９】
ＩＣタグは、ＩＣタグと読取装置間の距離により、密着型（０〜数ミリ），近接型（数ミリ〜数十センチ），近傍型（数十センチ〜７０センチ）などに分類される。
密着型は、静電気の誘導作用を利用する静電結合方式、または、交流磁界によるコイルの相互誘導を利用する電磁結合方式で交信され、４．９１ＭＨｚの周波数帯域が使用される。
近接型と近傍型は、２つのコイルの誘導磁束による誘起電圧を利用する電磁誘導方式で交信され、共に１３．５６ＭＨｚの周波数帯域が使用される（ＩＳＯ／ＩＥＣ１０５９３，１４４４３，１５６９３参照）。
本発明の試験管理システムでは、密着型または近接型ＩＣタグを使用する。
【００２０】
図３を参照して、ＲＦＩＤが貼付された受験票の一例について説明する。
受験票４は、片面に受験番号「１２３４５６」が印字されて受験希望者に送付される。
また、受験票４にはＲＦＩＤとして、ＩＣタグ７０１が組み込まれている。ＩＣタグは、ラベル状にして受験票の裏側などに貼付されている場合と、アンテナ付きのＩＣチップを、紙を抄造する際に直接埋め込んでしまう場合がある。
受験票４に組み込まれたＩＣタグ７０１のＩＣチップには、印字された受験番号「１２３４５６」を含む受験情報が記録されている。
受験情報は、暗号化されて記録されている場合もある。
受験者は、最近撮影した自分の顔写真を受験票の所定の位置に貼付し、定められた場所に自分の氏名を記載する。
また、受験票には試験の期日、試験会場の場所などが記載されている。
【００２１】
図４を参照して、ＲＦＩＤが貼付された問題用紙の一例について説明する。
問題用紙５は、多くの場合冊子状になっており、その裏表紙（表紙四）にＩＣタグ７０２が前記受験票と同様の方法で組み込まれている。
問題用紙５に組み込まれたＩＣタグ７０２のＩＣチップには、問題用紙情報が記録されている。
【００２２】
図５を参照して、ＲＦＩＤが貼付された解答用紙の一例について説明する。
解答用紙６は、複数の場合と1枚の場合があり、複数の場合は解答用紙の所定の位置にページ番号「１」が記載されている。解答を記入する際に支障をきたさない位置にＩＣタグ７０３が、前記受験票と同様の方法で組み込まれている。
解答用紙６に組み込まれたＩＣタグ７０１には解答用紙情報が記録されている。
【００２３】
図６を参照して、試験管理手順の一例について説明する。
受験者は、ＲＦＩＤが貼付された受験票４を持参し、試験会場の会場入口読取装置２に受験票に貼付されたＩＣタグを読取らせる。
会場入口読取装置２は、ＩＣタグから読取った受験番号が正規に発行されたもの（登録されたもの）であるか否かを管理装置１に問い合わせる。
登録されたものであることが確認されると、会場入口読取装置２は、光の点滅や、音声などによってその旨を知らせる。ゲートを設けて、通過状態にすることもできる（ステップ１：以下Ｓ１という。）。未登録の場合は、「ａ表示」を点滅させ、受験者に受験票を受付に提示するよう指示する。
【００２４】
会場に入った受験者は、受験票４を座席（机）の所定の位置に置く。
座席読取装置３は、受験票４に貼付されたＩＣタグを読み取って座席コード（座席読取装置３のコード）と受験票コード（受験番号）を管理装置１に送信する。
試験官は、問題用紙５と解答用紙６のセットを机の上に配布する。座席読取装置３は、問題用紙５と解答用紙６を読みとって、座席コードと共に問題用紙コードと解答用紙コードを管理装置１に送信する。
受験者から申請された科目と一致していれば表示装置にＯＫを表示し、未登録の科目であった場合は「ｂ表示」を表示し、試験官に問題用紙、解答用紙が違っていることを伝える（Ｓ３）。
【産業上の利用可能性】
【００２５】
試験管理を行うシステム全体に使用できる。
【図面の簡単な説明】
【００２６】
【図１】本発明の試験管理システムの機器構成およびＲＦＩＤが貼付された媒体の構成の一例について説明するための図である。
【図２】ＩＣタグの一例について説明するための図である。
【図３】ＲＦＩＤが貼付された受験票の一例について説明するための図である。
【図４】ＲＦＩＤが貼付された問題用紙の一例について説明するための図である。
【図５】ＲＦＩＤが貼付された解答用紙の一例について説明するための図である。
【図６】試験管理手順の一例について説明するための図である。
【符号の説明】
【００２７】
１      管理装置
２      会場入口読取装置
３      座席読取装置
４      受験票
５      問題用紙
６      解答用紙
７，７０１，７０２  ＲＦＩＤ（ＩＣタグ）
７１    アンテナ
７２    ＩＣチップ
ａ      受付に受験票を提示することを伝えるメッセージ
ｂ      問題用紙、解答用紙が違っていることを伝えるメッセージ
【図１】
2006053849.tif 000003
【図２】
2006053849.tif 000004
【図３】
2006053849.tif 000005
【図４】
2006053849.tif 000006
【図５】
2006053849.tif 000007
【図６】
2006053849.tif 000008